(57)【要約】【課題】開閉扉を開いたときにローラ対の入り側の用紙ガイド部材も開閉扉とともに退去するとともに，その際に用紙ガイド部材がローラと接触することのない画像形成装置を提供すること。【解決手段】用紙を搬送するコロおよびレジストローラ８１のローラ対と，ローラ対の上流側部分を覆う閉状態と，覆わない開状態とを取る開閉扉６と，開閉扉６に設けられた可動ガイド９１，９２と，装置本体側のストッパ部とを有している。開閉扉６の閉閉移動は平行移動である。その移動の方向は，用紙の搬送方向にもローラ対の軸方向にも交差する方向である。可動ガイド９１，９２は，開閉扉６に対し回転移動できるように設けられている。その回転軸９５は，ローラ対の軸方向と平行である。可動ガイド９１，９２は，開閉扉６が閉じているときには，用紙の先頭をローラ対へ導くガイド位置に配置され，開閉扉６が開かれるとガイド位置から待避する。【選択図】図７
2011175145.tif 000002
【特許請求の範囲】
【請求項１】
用紙供給部と，画像形成部と，用紙排出部とを有し，前記用紙供給部から供給された用紙に前記画像形成部で画像を形成して前記用紙排出部に排出する画像形成装置において，
前記用紙供給部から前記用紙排出部への用紙搬送経路上に設けられ，用紙を搬送するローラ対と，
前記ローラ対の上流側部分を覆う閉状態と，前記ローラ対の上流側部分を覆わない開状態とを取り，閉状態と開状態との間の移動が，前記ローラ対の軸方向とその搬送方向とのいずれとも交差する方向の平行移動である開閉扉と，
前記開閉扉に対し前記ローラ対の軸方向と平行な軸回りの回転移動が可能に設けられ，前記開閉扉が閉状態にあるときには，用紙の先頭を前記ローラ対の上流側から前記ローラ対のニップへ導くガイド位置に配置され，前記開閉扉が開状態にあるときには，前記軸回りの回転移動により，前記ローラ対から遠ざかる向きにガイド位置から待避するとともに，ガイド位置から待避する向きに付勢されている用紙ガイド部材と，
装置本体に設けられ，前記開閉扉を閉状態にすると前記用紙ガイド部材を付勢に抗してガイド位置にさせるストッパ部とを有し，
前記用紙ガイド部材の先端は，
ガイド位置にある状態では，その状態のまま前記開閉扉を平行移動させたとすると前記ローラ対のローラに接触する位置にあり，
前記開閉扉が開状態にあるときには実際にはガイド位置から待避することにより前記ローラに接触しない位置となるものであることを特徴とする画像形成装置。
【請求項２】
請求項１に記載の画像形成装置において，
前記開閉扉に取り付けられ，前記用紙ガイド部材をガイド位置から待避させる向きに付勢する付勢部材を有することを特徴とする画像形成装置。
【請求項３】
請求項１または請求項２に記載の画像形成装置において，
前記ストッパ部は，搬送される用紙の最大幅が占める範囲の外側に設けられていることを特徴とする画像形成装置。
【請求項４】
請求項１から請求項３までのいずれか１つに記載の画像形成装置において，
前記ストッパ部が，前記ローラ対の少なくとも一部を保持する部材上に設けられていることを特徴とする画像形成装置。
【請求項５】
請求項１から請求項４までのいずれか１つに記載の画像形成装置において，
前記用紙供給部が装置内の下部に位置し，
前記用紙排出部が装置内の上部に位置し，
前記用紙供給部における装置の右または左の側方部から用紙が取り出されてそこから上方へ用紙が搬送される構成のものであり，
前記開閉扉は，装置における前記側方部の面に配置されており，
前記開閉扉の平行移動の方向は，装置における左右方向であることを特徴とする画像形成装置。
【発明の詳細な説明】
【技術分野】
【０００１】
本発明は，用紙供給部から供給された用紙に画像形成部で画像を形成して用紙排出部に排出する画像形成装置に関する。さらに詳細には，用紙供給部から用紙排出部への用紙搬送経路上に設けられたローラ対の上流側の部分にジャム処理のための開閉扉が設けられている画像形成装置に関するものである。
【背景技術】
【０００２】
従来から画像形成装置では，用紙搬送経路の随所にローラ対を設けている。ローラ対を含めた用紙搬送経路は装置の外板で覆われているが，ジャム発生時には，ジャム紙を取り除くために開放される必要がある。このために装置の外板の一部に開閉扉が設けられる。このようなものの一例として，特許文献１に記載されている画像形成装置が挙げられる。同文献の画像形成装置では，定着ローラ対の入り側でのジャム処理のための開閉扉を設けている。同文献の開閉扉は，水平な軸回りの回転移動により扉の上部（用紙搬送方向の下流側）が外側へ倒れて開くものであるが，このようなもの以外にも，扉が水平に移動して開くものなどもあった。
【先行技術文献】
【特許文献】
【０００３】
【特許文献１】特開２００８−１１１９０９号公報
【発明の概要】
【発明が解決しようとする課題】
【０００４】
しかしながら前記した従来の技術には，次のような問題点があった。特許文献１の画像形成装置では，開閉扉を開いた状態でも，ローラ対の入り側の用紙ガイド部材がそのままの位置に残っている。このため，ジャム処理に当たり，用紙ガイド部材が邪魔となってローラ対のニップ部の視認性が悪かった。また，開閉扉の下端部（用紙搬送方向の上流側）が本体から離れないことも，ニップ部を上流側から見ることの妨げとなっていた。用紙ガイド部材はさらに，視認性の問題ばかりでなく，用紙をニップ部から引き抜くための作業性という観点からも邪魔であった。
【０００５】
このため，開閉扉を開いたときには用紙ガイド部材も開閉扉とともに元の場所から待避することが望ましい。また，ニップ部の視認性のためには，開閉扉の下端部も本体から離れることが望ましい。これより，開閉扉は水平方向（用紙搬送方向と直交する方向）に移動して開くとともに，用紙ガイド部材も開閉扉とともに移動することが望ましい。ただし単純にそうするだけでは，扉の開閉時に用紙ガイド部材がローラと接触してしまうので，何らかの対策が必要である。
【０００６】
本発明は，前記した従来の技術が有する問題点を解決するためになされたものである。すなわちその課題とするところは，開閉扉を開いたときにローラ対の入り側の用紙ガイド部材も開閉扉とともに退去するとともに，その際に用紙ガイド部材がローラと接触することのない画像形成装置を提供することにある。
【課題を解決するための手段】
【０００７】
この課題の解決を目的としてなされた本発明の画像形成装置は，用紙供給部と，画像形成部と，用紙排出部とを有し，用紙供給部から供給された用紙に画像形成部で画像を形成して用紙排出部に排出する装置であって，用紙供給部から用紙排出部への用紙搬送経路上に設けられ，用紙を搬送するローラ対と，ローラ対の上流側部分を覆う閉状態と，ローラ対の上流側部分を覆わない開状態とを取り，閉状態と開状態との間の移動が，ローラ対の軸方向とその搬送方向とのいずれとも交差する方向の平行移動である開閉扉と，開閉扉に対しローラ対の軸方向と平行な軸回りの回転移動が可能に設けられ，開閉扉が閉状態にあるときには，用紙の先頭をローラ対の上流側からローラ対のニップへ導くガイド位置に配置され，開閉扉が開状態にあるときには，軸回りの回転移動により，ローラ対から遠ざかる向きにガイド位置から待避するとともに，ガイド位置から待避する向きに付勢されている用紙ガイド部材と，装置本体に設けられ，開閉扉を閉状態にすると用紙ガイド部材を付勢に抗してガイド位置にさせるストッパ部とを有し，用紙ガイド部材の先端は，ガイド位置にある状態では，その状態のまま開閉扉を平行移動させたとするとローラ対のローラに接触する位置にあり，開閉扉が開状態にあるときには実際にはガイド位置から待避することによりローラに接触しない位置となるものである。
【０００８】
この画像形成装置では，開閉扉が閉状態にされているときには，用紙ガイド部材がガイド位置にある。この状態ではストッパ部の作用により，用紙ガイド部材の先端が，そのまま開閉扉を回転移動させたとするとローラ対のローラに接触する位置，すなわち，ローラ対のニップにごく近接した位置にある。このため用紙のガイド性が良好である。開閉扉を開状態にすると，実際にはストッパ部の作用が解除され，用紙ガイド部材が付勢によりガイド位置から待避する。よって用紙ガイド部材の先端がローラ対のローラに接触することはない。こうして，ローラ対のニップの上流側に用紙ガイド部材が残らない状態が得られる。このため，用紙ガイド部材とローラとの干渉なくして，用紙ガイド性とジャム処理作業の容易性とが両立されている。
【０００９】
本発明ではさらに，開閉扉に取り付けられ，用紙ガイド部材をガイド位置から待避させる向きに付勢する付勢部材を有することが望ましい。用紙ガイド部材をガイド位置から待避させる向きの付勢は，ローラ対と用紙ガイド部材との位置関係によっては，用紙ガイド部材またはその保持部材の自重のみで実現することも可能である。しかし，圧縮バネ等の付勢部材を備えた方がより確実である。
【００１０】
また，ストッパ部は，搬送される用紙の最大幅が占める範囲の外側に設けられていることが望ましい。最大幅の用紙を使用する場合でもストッパ部がその搬送を邪魔しないためである。また，ストッパ部は，ローラ対の少なくとも一部を保持する部材上に設けられていることが望ましい。その方が位置精度が高いからである。
【００１１】
また，本発明の画像形成装置の一態様として，用紙供給部が装置内の下部に位置し，用紙排出部が装置内の上部に位置し，用紙供給部における装置の右または左の側方部から用紙が取り出されてそこから上方へ用紙が搬送される構成のものが挙げられる。開閉扉の位置は，装置における前記側方部の面が考えられる。開閉扉の平行移動の方向は，装置における左右方向とすることが考えられる。
【発明の効果】
【００１２】
本発明によれば，開閉扉を開いたときにローラ対の入り側の用紙ガイド部材も開閉扉とともに退去するとともに，その際に用紙ガイド部材がローラと接触することのない画像形成装置が提供されている。
【図面の簡単な説明】
【００１３】
【図１】実施の形態に係る画像形成装置を，開閉扉を閉じた状態で示す外観斜視図である。
【図２】画像形成装置を，開閉扉を開いた状態で示す部分斜視図である。
【図３】画像形成部の内部の要素を示す概念図である。
【図４】画像形成装置における開閉扉と本体との合わせ目付近の断面図である。
【図５】図４に示したものを，開閉扉を開いた状態で示す断面図である。
【図６】開閉扉の裏面図である。
【図７】開閉扉を開いた状態におけるその裏面と，画像形成装置の本体におけるその対向箇所とを示す斜視図である。
【図８】開閉扉を閉じた状態における可動ガイドの周辺を示す斜視図である。
【図９】開閉扉の下端付近を示す斜視図である。
【図１０】開閉扉を閉じた状態での可動ガイドとレジストローラとの位置関係を示す断面図である。
【図１１】（比較例）ガイドを開閉扉に固定して設けた例を示す断面図である。
【図１２】（比較例）ガイドを装置本体に固定して設けた例を示す断面図である。
【図１３】（比較例）ガイドを短くした例を示す断面図である。
【図１４】開閉扉を開いた状態での可動ガイドとレジストローラとの位置関係を示す断面図である。
【発明を実施するための形態】
【００１４】
以下，本発明を具体化した実施の形態について，添付図面を参照しつつ詳細に説明する。本形態は，図１に示すような画像形成装置において本発明を具体化したものである。図１の画像形成装置１００は，給紙部１と，画像形成部２と，排紙部３と，読取部４とを有している。給紙部１は，画像形成部２に提供する用紙を収納する部分である。画像形成部２は，後述する感光体ドラム等を内蔵しており，用紙にトナーにより画像を形成する部分である。排紙部３は，画像形成部２で画像形成がなされた用紙が排出される場所である。読取部４は，原稿の画像を読み取る部分である。
【００１５】
画像形成装置１００は，用紙を供給する給紙部１が装置内の下部に位置し，用紙の排出を受ける排紙部３が装置内の上部に位置し，給紙部１における画像形成装置１００の右の側方部から用紙が取り出されてそこから上方へ用紙が搬送される構成のものである。画像形成装置１００は主として，読取部４で読み取った原稿の画像を画像形成部２で用紙上に複写する装置である。画像形成装置１００はこの他，外部の機器や記憶媒体，通信回線から取得した画像データに基づく画像形成をも行うことができる。
【００１６】
画像形成装置１００における図１中の右側面５には，開閉扉６が設けられている。図１は，開閉扉６を閉じた状態，すなわち画像形成を行うことができる状態を示している。開閉扉６を開いた状態の略図を図２に示す。図１と図２とから明らかなように，開閉扉６の開閉動作は，水平な軸に沿っての平行移動である。なお図２では，理解の便宜のため，画像形成装置１００の内部機構を省略している。開閉扉６が設けられている理由は，ジャム発生時のジャム紙の除去作業のためである。その詳細は後述する。
【００１７】
画像形成装置１００の画像形成部２には，図３に示すような，画像形成に必要な各種の要素が内蔵されている。画像形成部２の内部には，感光体ドラム１０，帯電器２０，露光器３０，現像器４０，転写ローラ５０，クリーナ６０，定着器７０が配置されている。なお図３は，画像形成装置１００における画像形成の基本原理を模式的に示すにすぎないものであり，これら各要素の正確な位置関係を示すものではない。
【００１８】
次に，画像形成装置１００における，開閉扉６と本体との合わせ目付近の詳細な構造を，図４により説明する。図４は，開閉扉６を閉じた状態での画像形成装置１００の，正面側から見た断面の要部を示している。図４に示すように，開閉扉６と本体との合わせ目付近には，図４に示した各要素が配置されており，用紙が下から上へと向かうように用紙搬送経路Ｐが縦向きに構成されている。図４中，感光体ドラム１０および転写ローラ５０の下方には，コロ８０とレジストローラ８１とが配置されている。コロ８０とレジストローラ８１とは，互いに接触してニップをなしている。それらの下方には，可動物である
用紙センサ８３が設けられている。さらにその下方には，給紙ローラ８２が配置されている。
【００１９】
図５に示すのは，図４に示したものを，開閉扉６を少し開いた状態で示す図である。図５では図４と比較して，開閉扉６の全体が少し右向きに移動している。すなわち，用紙の搬送方向である縦方向に対して交差する方向に，開閉扉６が画像形成装置１００の本体から待避している。この移動方向は，用紙を搬送させるコロ８０およびレジストローラ８１の軸方向に対しても交差する方向である。
【００２０】
図５から分かるように画像形成装置１００では，転写ローラ５０は開閉扉６に載っている。一方，感光体ドラム１０やレジストローラ８１は，画像形成装置１００の本体側に設けられている。また，開閉扉６を開いた状態では，コロ８０とレジストローラ８１とのニップの上流側（図５中下側）や，感光体ドラム１０から定着器７０の入り口にかけての範囲が露出している。このため，開閉扉６を大きく開けば，これらの箇所でのジャム紙が外部に露出するので，その除去を容易に行うことができる。
【００２１】
言い替えると，開閉扉６が，用紙搬送経路の外面側を形成しているのである。開閉扉６における上ガイド８５が，感光体ドラム１０から定着器７０にかけての位置でその役割を果たしている。また開閉扉６には，後述する可動ガイドが設けられており，コロ８０とレジストローラ８１とのニップの上流側の位置でその役割を果たすようになっている。
【００２２】
開閉扉６の裏面を図６に示す。裏面とは，開閉扉６を閉じた状態で画像形成装置１００の内部に隠れる面のことである。開閉扉６の裏面には前述のように転写ローラ５０が取り付けられているが，図６では転写ローラ５０を取り除いた状態を示している。転写ローラ５０は，図６中の矢印Ｘに示される辺りの位置に取り付けられる。図６中の開閉扉６の下端付近には，可動ガイド９１，９２が設けられている。可動ガイド９１，９２の間には，可動ガイドのない隙間範囲Ｖが存在している。図４中の用紙センサ８３は隙間範囲Ｖの中にある。
【００２３】
開閉扉６を開いた状態における，開閉扉６の裏面と，画像形成装置１００の本体におけるその対向箇所との斜視図を図７に示す。図７に見るように，開閉扉６の裏面側の下端には，可動部材９３，９４が設けられている。可動部材９３，９４はいずれも，ガイド軸９５に対して回転可能に取り付けられている。ガイド軸９５は，画像形成装置１００の奥行き方向と平行な方向の回転軸である。可動部材９３，９４は，ガイド軸９５に対して揃って回転するようになっている。可動ガイド９１は可動部材９３に，可動ガイド９２は可動部材９４に，それぞれ取り付けられている。可動ガイド９１，９２はいずれも，フィルム状の部材である。その素材は例えば合成樹脂である。
【００２４】
なお，図４および図５には可動ガイド９１，９２が現れていない。その理由は，図４および図５は，図６で言えば隙間範囲Ｖ内の矢印Ａの位置での断面図であるからである。図７に戻って，画像形成装置１００の本体側には，レジストローラ８１の上流側に用紙ガイド９９が設けられている。用紙ガイド９９は，画像形成装置１００の本体側に固定して設けられた部材である。
【００２５】
可動ガイド９１，９２は，図４に示したコロ８０およびレジストローラ８１の上流側にて，用紙の搬送をガイドする部材である。このことを図８により説明する。図８は，開閉扉６を閉じた状態における可動ガイド９１，９２の周辺の斜視図である。
【００２６】
図８に示されるように，コロ８０およびレジストローラ８１の上流側では，用紙ガイド９９と可動ガイド９１，９２とが，コロ８０およびレジストローラ８１の上流側における用紙搬送経路Ｐを区画している。すなわち用紙は，用紙ガイド９９と可動ガイド９１との間，または，用紙ガイド９９と可動ガイド９２との間を通って，コロ８０とレジストローラ８１とのニップに進入するのである。なお図７において，レジストローラ８１の端部は，軸保持部材８４に保持されている。図７中では省略しているがレジストローラ８１の奥側の端部も同様である。
【００２７】
また，開閉扉６においては，そのボディ６１と可動部材９４との間に，圧縮バネ９８が設けられている。図８中の圧縮バネ９８は縮んだ状態である。自然状態での圧縮バネ９８は，図８中に破線で示される部分まで含めた長さのものである。また，可動部材９４には当接部９６が設けられている。当接部９６は，可動部材９４に固定されている。
【００２８】
図８中の可動部材９４および可動ガイド９２は，図７中に示された状態と比較して，図中時計回りに少し回転して上昇した状態にある。当接部９６が用紙ガイド９９の端部のストッパ部９７に当接しているからである。言い替えると，図７の開状態での可動部材９４および可動ガイド９２は，圧縮バネ９８の付勢により，図中反時計回りに回転して下降した状態にあるのである。開閉扉６を閉じると，当接部９６とストッパ部９７との当接により，可動部材９４および可動ガイド９２は，圧縮バネ９８の付勢に抗して，図８中の状態となるのである。同様に奥側の可動部材９３および可動ガイド９１も，手前側の可動部材９４および可動ガイド９２と揃って動き図８中の状態となる。この状態での開閉扉６の下部のみを図９に示す。
【００２９】
当接部９６は，図６で言えば，通紙範囲Ｗの右端より外側の矢印Ｙの辺りに位置する。あるいは，奥側，すなわち通紙範囲Ｗの左端より外側の矢印Ｚの辺りに位置することとしてもよい。このため，開閉扉６を閉じて当接部９６等をストッパ部９７に当接させた状態でも，用紙の搬送に対しては障害とならない。なお，用紙ガイド９９やストッパ部９７は，レジストローラ８１を保持する軸保持部材８４と一体であり一部品をなしている。あるいは，コロ８０の保持部材もしくはコロ８０とレジストローラ８１との両者の保持部材と一体であってもよい。これにより，開閉扉６を閉じた状態での可動ガイド９１，９２の先端位置の位置精度が高い。少ない部品点数でその位置決めがなされているからである。
【００３０】
続いて，上記のようにして可動ガイド９１，９２が可動となっていることの意義を説明する。開閉扉６を閉じた状態での可動ガイド９１，９２は概ね，コロ８０およびレジストローラ８１に対して，図１０に示される位置関係にある。図１０は，図６で言えば矢印Ｂまたは矢印Ｃの位置での断面図である。図１０の状態では，可動ガイド９１，９２の上端が，コロ８０とレジストローラ８１とのニップに対してごく近接して位置している。このため，用紙のガイド性が非常に良好である。すなわち，搬送される用紙が少々カールしていたとしても，ジャムが起こりにくい。
【００３１】
その一方で図１０の状態では，可動ガイド９１，９２の上端レベルＨが，レジストローラ８１の下端レベルＬより高い位置にある。このため，仮にこの状態のまま開閉扉６を開いて可動ガイド９１，９２をこの位置から待避させたとすると，可動ガイド９１，９２がレジストローラ８１に接触してしまうことになる。レジストローラ８１は本体側に取り付けられており固定である一方，開閉扉６の動きは水平面内の移動だからである。このように可動ガイド９１，９２がレジストローラ８１に接触するようなことは好ましくない。
【００３２】
もし，図１１の比較例に示すようにガイド９１，９２を開閉扉６に対して固定的に設けると，このような不具合が現実に起こってしまうことになる。これに対し図１２の比較例に示すように，ガイド９１，９２を装置本体側に固定的に設けることが考えられる。こうすれば，扉の開閉時にもガイド９１，９２とレジストローラ８１との接触は起こらない。しかしそれでは，開閉扉６を開いても，コロ８０とレジストローラ８１とのニップの入り側にガイド９１，９２が残ってしまう。これではジャム紙除去の作業性や視認性がよくない。
【００３３】
あるいは図１３の比較例に示すように，ガイド９１，９２を短くしてしまうことも考えられる。このような方法でもガイド９１，９２とレジストローラ８１との接触を回避することはできる。しかしそれでは，用紙のガイド性が不十分である。ガイド９１，９２の先端が，コロ８０とレジストローラ８１とのニップから遠いからである。このため，特に用紙Ｓの先端がレジストローラ８１側にカールしている場合にジャムが起こりやすい。
【００３４】
しかしながら画像形成装置１００では，実際には前述のように，開閉扉６を開くと可動ガイド９１，９２および可動部材９３，９４が開閉扉６に対して移動する。移動した状態での位置関係は図１４のようになる。この状態では可動ガイド９１，９２の上端レベルＨが図１０の状態に比して下がっている。このため，可動ガイド９１，９２がレジストローラ８１に接触することはない。これにより，可動ガイド９１，９２による良好なガイド性と，扉開閉時の部材の干渉の回避とを両立させている。さらに，開閉扉６を開いた状態ではコロ８０とレジストローラ８１とのニップの入り側には可動ガイド９１，９２が残らない。このためジャム紙除去の作業性や視認性もよい。
【００３５】
画像形成装置１００で開閉扉６が閉じている状態（図１，図４，図８，図１０）から開閉扉６を開き始めると，当接部９６がストッパ部９７から離間する。これにより手前側の可動ガイド９２と奥側の可動ガイド９１とが揃って下がる。開閉扉６をさらに開いていくと，既に下がっている可動ガイド９１，９２は，レジストローラ８１に接触することなく装置本体から離れていく。このようにして，可動ガイド９１，９２のいずれもがレジストローラ８１に接触することなく，開閉扉６を開くことができる。
【００３６】
一方，開閉扉６が完全に開いている状態（図２，図７）から開閉扉６を閉じる方向に操作していく場面を考える。この場面で最初のうちは，可動ガイド９１，９２がともに下がっており，レジストローラ８１に接触することなく装置本体に近づいていく。そして可動ガイド９１，９２がレジストローラ８１の真下を通過すると，当接部９６とストッパ部９７との当接により，可動ガイド９１，９２が上がる。このようにして，可動ガイド９１，９２のがレジストローラ８１に接触することなく，開閉扉６を閉じる操作が完了する。
【００３７】
以上詳細に説明したように本実施の形態では，コロ８０とレジストローラ８１とのニップの入り側における装置外側寄りの用紙ガイド（可動ガイド９１，９２）を，装置本体でなく開閉扉６に設けている。このため開閉扉６を開くと可動ガイド９１，９２が当該ニップの入り側に残らず，ジャム処理の作業性や視認性がよい。それでいて，可動ガイド９１，９２を可動とすることにより，閉状態での用紙の良好なガイド性と，開閉動作時の可動ガイド９１，９２とレジストローラ８１との干渉防止とを両立させている。
【００３８】
なお，本実施の形態は単なる例示にすぎず，本発明を何ら限定するものではない。したがって本発明は当然に，その要旨を逸脱しない範囲内で種々の改良，変形が可能である。例えば，圧縮バネ９８を省略することが考えられる。可動ガイド９１（９２）および可動部材９３（９４）の重心とガイド軸９５との位置関係等によっては，可動ガイド９１（９２）および可動部材９３（９４）の自重による付勢だけで十分なこともあるからである。
【００３９】
また，可動ガイド９１，９２を２分割とすることは必須ではない。１つの可動ガイドを通紙範囲Ｗの中央付近に設ける構成でもよい。ただし，用紙センサ８３を図４中の場所ではなくどこか別の場所に設ける必要がある。１つの可動ガイドを用いる構成であっても，当接部とストッパ部との当接箇所は，通紙範囲Ｗの外側に設ける必要がある。なお，２分割方式とする場合，その間の隙間範囲Ｖは，画像形成装置１００で取り扱う用紙における最小の幅方向サイズ以下であればよい。これより大きいと，画像形成時に可動ガイド９１，９２の本来の役割である用紙のガイドが不十分となるおそれがあるからである。２分割方式とする場合にはまた，可動部材９３，９４を，ガイド軸９５に対して揃ってではなく独立に回転できるようにしてもよい。ただしその場合には，当接部とストッパ部との当接が，通紙範囲Ｗの両方の外側で起こるようにする必要がある。また，可動部材９３，９４は結果的には揃って動く。
【００４０】
また，図１等では開閉扉６を画像形成装置１００の右側面に設けているが，これも必須なわけではない。左側面や背面に開閉扉６を設ける構成も考えられる。また，画像形成装置１００では，可動ガイド９１，９２の対象箇所を，コロ８０とレジストローラ８１とのニップの入り側としている。しかしこれも必須ではない。感光体ドラム１０と転写ローラ５０とのペアであるとか，定着器７０等の他のローラ対を対象とすることもできる。また，読取部４を有しない画像形成装置にも適用可能である。
【符号の説明】
【００４１】
１          給紙部
２          画像形成部
３          排紙部
５          右側面
６          開閉扉
８０        コロ
８１        レジストローラ
９１，９２  可動ガイド
９７        ストッパ部
９８        圧縮バネ
９９        用紙ガイド
１００      画像形成装置
Ｗ          通紙範囲
【図１】
2011175145.tif 000003
【図２】
2011175145.tif 000004
【図３】
2011175145.tif 000005
【図４】
2011175145.tif 000006
【図５】
2011175145.tif 000007
【図６】
2011175145.tif 000008
【図７】
2011175145.tif 000009
【図８】
2011175145.tif 000010
【図９】
2011175145.tif 000011
【図１０】
2011175145.tif 000012
【図１１】
2011175145.tif 000013
【図１２】
2011175145.tif 000014
【図１３】
2011175145.tif 000015
【図１４】
2011175145.tif 000016